(57)【特許請求の範囲】
【請求項１】
放送受信装置が、デジタル放送において放送される暗号化された放送番組を復号するための鍵を取得するにあたり、
前記放送された放送番組に対応する番組配列情報を用いて、当該放送番組を復号するための鍵を提供するネットワーク上の取得先のアドレスを前記放送受信装置が生成することを特徴とするアドレス生成方法。
【請求項２】
デジタル放送を受信する放送受信手段と、
ネットワークを介して双方向通信を行う通信手段と、
前記放送受信手段で受信する暗号化された放送番組を復号するための鍵の取得操作を行う操作手段と、
前記操作手段による前記鍵の取得操作に基づいて、当該放送番組に対応する番組配列情報を用いて前記通信手段によりアクセスする前記鍵の取得先のアドレスを生成するアドレス生成手段と、
を有することを特徴とする放送受信装置。
【請求項３】
前記アドレス生成手段は、前記番組配列情報に含まれるネットワークＩＤ、トランスポートストリームＩＤ、サービスＩＤ、イベントＩＤの少なくとも一つを用いて、前記アドレスを生成することを特徴とする請求項２に記載の放送受信装置。
【発明の詳細な説明】
【技術分野】
【０００１】
本発明は、デジタル放送において放送される暗号化された放送番組を復号するための鍵を提供するネットワーク上の取得先のアドレス生成方法および放送受信装置に関するものである。
【背景技術】
【０００２】
近年、デジタル放送の実用化に伴って、その放送受信装置を内蔵した機器も種々提案されている（例えば、特許文献１参照）。
【０００３】
また、最近では、デジタル放送による放送番組を番組単位で暗号化して放送し、その放送番組を復号するための鍵を、当該放送番組に対応するインターネット上の所定の取得先であるウェブページから有料（ＰＰＶ方式）または無料で取得して、暗号化された放送番組を視聴する放送運用も考えられている。
【０００４】
なお、携帯端末向けのデジタル放送による番組データの暗号方式としては、携帯端末の処理能力から、インターネット等のコンテンツ配信において一般的に用いられるブロック暗号方式よりも、処理負荷の軽いストリーム暗号方式のほうが好ましいと考えられている。
【０００５】
【特許文献１】特開２００６−４２２４４号公報
【発明の開示】
【発明が解決しようとする課題】
【０００６】
ところで、従来、インターネットを介して所望の放送番組のウェブページにアクセスするには、例えば、放送事業者のサイト（ホームページ）にアクセスし、そこから番組表ページを経て所望の放送番組ページに遷移したり、あるいは、放送事業者の番組表ページに直接アクセスし、そこから所望の放送番組ページに遷移したりする等、複数回の遷移操作が必要となっている。
【０００７】
このため、上述したように、暗号化された所望の放送番組を復号するための鍵を、当該放送番組に対応するインターネット上の所定の取得先ページから取得する場合にも、同様に複数回の遷移操作が必要となって、鍵を取得するまでに時間がかかり、通信費用が嵩むことが懸念される。また、暗号化された所望の放送番組をリアルタイムで視聴する場合において、その放送開始時間までに余裕がない場合には、放送開始時間までに鍵を取得できず、所望の放送番組を最初から視聴できなくなることが懸念される。
【０００８】
したがって、かかる事情に鑑みてなされた本発明の目的は、デジタル放送において放送される暗号化された所望の放送番組を復号するための鍵を提供するネットワーク上の取得先に直接アクセスできて、通信費用を削減できるとともに、所望の放送番組の放送開始時間までに比較的余裕がない場合でも、最初から視聴できる確率を高めることができるアドレス生成方法、およびこれを実施する放送受信装置を提供することにある。
【課題を解決するための手段】
【０００９】
上記目的を達成する請求項１に係るアドレス生成方法の発明は、放送受信装置が、デジタル放送において放送される暗号化された放送番組を復号するための鍵を取得するにあたり、前記放送された放送番組に対応する番組配列情報を用いて、当該放送番組を復号するための鍵を提供するネットワーク上の取得先のアドレスを前記放送受信装置が生成することを特徴とするものである。
【００１０】
請求項２に係る放送受信装置の発明は、デジタル放送を受信する放送受信手段と、ネットワークを介して双方向通信を行う通信手段と、前記放送受信手段で受信する暗号化された放送番組を復号するための鍵の取得操作を行う操作手段と、前記操作手段による前記鍵の取得操作に基づいて、当該放送番組に対応する番組配列情報を用いて前記通信手段によりアクセスする前記鍵の取得先のアドレスを生成するアドレス生成手段と、を有することを特徴とするものである。
【００１１】
請求項３に係る発明は、請求項２に記載の放送受信装置において、前記アドレス生成手段は、前記番組配列情報に含まれるネットワークＩＤ、トランスポートストリームＩＤ、サービスＩＤ、イベントＩＤの少なくとも一つを用いて、前記アドレスを生成することを特徴とするものである。
【発明の効果】
【００１２】
本発明によると、放送番組に対応する番組配列情報を用いて、当該放送番組の復号用の鍵を提供するネットワーク上の取得先のアドレスを生成するので、取得先に直接アクセスすることができる。したがって、通信費用を削減できるとともに、所望の放送番組をリアルタイムで視聴する場合に、その放送開始時間までに比較的余裕がない場合でも、最初から視聴できる確率を高めることができる。
【発明を実施するための最良の形態】
【００１３】
以下、本発明の実施の形態について、図を参照して説明する。
【００１４】
図１は、本発明の一実施の形態に係る放送受信装置の要部の回路構成を示すブロック図である。
【００１５】
この放送受信装置は、例えばインターネットへのネットワーク通信可能な携帯電話端末に、地上デジタルＴＶ放送である、いわゆる１セグ放送を視聴するＴＶ受信機能を搭載した携帯通信端末で、全体を制御する制御部１と、通信手段を構成する通信回線用のアンテナ部２および無線部３と、地上デジタル放送を受信する放送受信手段を構成する放送受信用のアンテナ部４およびチューナ部５とを有している。
【００１６】
無線部３は、制御部１で処理された音声情報、電子メール等を変調して送受信アンテナ２から図示しない基地局に無線で送信するとともに、基地局から無線により送信されて送受信アンテナ２で受信された電子メールや音声情報等の各種情報を復調して制御部１に送出するようになっている。
【００１７】
一方、アンテナ部４で受信される放送受信信号は、制御部１の制御によりチューナ部５で選局され、その選局された放送受信信号は、復調部６でトランスポートストリーム（ＴＳ）パケットが取り出されて分岐部７に供給され、ここでパケットＩＤに応じて音声処理部８、映像処理部９、データ処理部１０に振り分けられる。
【００１８】
音声処理部８、映像処理部９、データ処理部１０には、復調部６で現在復調している例えばストリーム暗号方式で暗号化された放送番組を復号するための鍵が、制御部１からそれぞれ供給され、この鍵を用いてそれぞれ復号化処理が実行されて、音声処理部８で復号化処理して得られた音声情報がスピーカ１１から出力され、映像処理部９およびデータ処理部１０でそれぞれ復号化処理して得られた映像情報およびデータ情報が、表示制御部１２を介して表示部１３に表示される。
【００１９】
さらに、本実施の形態の携帯通信端末は、各種データを格納する記憶部１４、携帯通信端末の操作や暗号化された放送番組を復号するための鍵の取得操作を行う操作キー部１５、操作キー部１５による鍵の取得操作に基づいてインターネット上の取得先のアドレスを生成するアドレス生成部１６を有している。
【００２０】
本実施の形態では、地上デジタルＴＶ放送における電子番組表（ＥＰＧ）を記憶部１４に更新しながら格納する。この電子番組表は、放送受信手段で受信される番組配列情報（ＳＩ）を記憶部１４に格納することで得るか、あるいは通信手段によりインターネット上の所望の放送事業者サイトにアクセスして、記憶部１４にダウンロードする。
【００２１】
ここで、電子番組表は、番組配列情報により作成されるもので、この電子配列情報には、放送事業者を識別するネットワークＩＤ（ＮＩＤ）、放送チャンネルを識別するトランスポートストリームＩＤ（ＴＩＤ）、放送チャンネルにおける放送番組の提供セグメントを識別するサービスＩＤ（ＳＩＤ）、放送番組を識別するイベントＩＤ（ＥＩＤ）が含まれている。
【００２２】
また、記憶部１４には、電子番組表に含まれる暗号化された各放送番組に対応して復号用の鍵を記憶し、その鍵を当該放送番組の受信に際して、上述したように制御部１から音声処理部８、映像処理部９、データ処理部１０に供給する。
【００２３】
次に、本実施の形態による復号用の鍵の取得動作について、図２に示すフローチャート、図３および図４に示す表示部１３への表示例を参照して説明する。
【００２４】
本実施の形態では、先ず、放送受信手段あるいは通信手段を介して番組配列情報を取得して記憶部１４に格納する（ステップＳ１）。その後、操作キー部１５の所定のユーザ操作により、表示部１３に鍵の取得状況を表示する（ステップＳ２）。このステップＳ２では、例えば図３に示すように、表示部１３に電子番組表を表示するとともに、その表示された放送番組の復号用の鍵を既に取得していれば、当該放送番組の表示欄に取得済みを表す鍵マーク２１を表示する。
【００２５】
次に、操作キー部１５のユーザ操作によって、表示部１３に表示されている鍵未取得番組がフォーカスされて「選択」キーが押下されたか、または「戻る」キーが押下されたかを判定する（ステップＳ３）。なお、図３は、２４チャンネルの「京都大好き」の番組名がフォーカスされた場合を示している。
【００２６】
ここで、鍵未取得番組がフォーカスされて「選択」キーが押下された場合には、記憶部１４に記憶されている当該放送番組に対応する電子配列情報を用いて、アドレス生成部１６においてインターネット上における鍵の取得先ページのアドレスを生成する（ステップＳ４）とともに、例えば図４に示すように、当該選択された放送番組の鍵の取得を案内するポップアップ画面２５を表示し（ステップＳ５）、このポップアップ画面２５に、アドレス生成部１６において生成したアドレスを表示する。ここでは、鍵の取得先ページのアドレスとして、２４チャンネルのＮＩＤに対応する情報（例えば、○○TV.jp/bangumi/）と、「京都大好き」のＥＩＤ（例えば、０５２５）とを用いて、例えば「HTTP://www.○○TV.jp/bangumi/0525」を作成して表示する。
つまり、「HTTP://」等、URLを生成するために必須の要素情報については、予め記憶部１４に記憶しておく。即ち、記憶部１４は、「HTTP://」や「HTTP://www」、放送事業者毎の「○○TV.jp」や「○○TV.jp/bangumi/」などを要素情報として記憶しておく。そして、鍵未取得番組がフォーカスされて「選択」キーが押下されると、アドレス生成部１６は、要素情報（HTTP://等）と記憶部１４に記憶される当該放送番組に対応する電子配列情報のうちの一部（即ち、ＮＩＤ等）とを組み合わせることにより、鍵の取得先ページのアドレスを生成する。例えば、要素情報と、電子配列情報のうちのＮＩＤおよびＥＩＤとを組み合わせてアドレスを生成する場合、要素情報が「HTTP://」、鍵を取得しようとしている放送番組の放送事業者（ＮＩＤより特定可能）に対応して予め記憶されたＮＩＤに対応する要素情報が「○○TV.jp」、ＥＩＤが「０５２５」であれば、「HTTP://○○TV.jp/0525」というアドレスが生成される。
【００２７】
次に、ユーザ操作によって、図４に示したポップアップ画面２５に表示されている「ＯＫ」または「キャンセル」のソフトキーが押下されたかを検出する（ステップＳ６）。ここで、「ＯＫ」のソフトキーが押下された場合には、制御部１から無線部３およびアンテナ部２を介してインターネットに接続して、アドレス生成部１６で作成したアドレスにより鍵の取得先ページに直接アクセスして鍵を取得（ダウンロード）する（ステップＳ７）。なお、ダウンロードした鍵は、当該放送番組に対応させて記憶部１４に記憶する。
【００２８】
ステップＳ７において、所望の放送番組の鍵取得が終了したら、ステップＳ３に戻って、他の鍵未取得番組を選択可能とする。同様に、ステップＳ６において、「キャンセル」のソフトキーが押下された場合には、ステップＳ３に移行して、他の鍵未取得番組を選択可能とする。
【００２９】
一方、ステップＳ３において、鍵未取得番組が選択されず、「戻る」キーが押下された場合には、復号用の鍵の取得動作を終了する。
【００３０】
このように、本実施の形態においては、放送番組に対応する番組配列情報を用いて、当該放送番組の復号用の鍵を提供するネットワーク上の取得先ページのアドレスを生成するようにしたので、ウェブページの遷移操作を行うことなく取得先ページに直接アクセスすることができる。したがって、通信費用を削減することができるとともに、所望の放送番組をリアルタイムで視聴する場合に、その放送開始時間までに比較的余裕がない場合でも、最初から視聴できる確率を高めることができる。
【００３１】
なお、本発明は、上記実施の形態に限定されるものではなく、幾多の変更または変形が可能である。例えば、図２において、ステップＳ７で鍵を取得したら、ステップＳ３に移行することなく、鍵の取得動作を終了するようにすることもできる。また、図２のステップＳ３において、「選択」キーが押下された場合に、図４に示したようなポップアップ画面２５を表示することなく、アドレス生成部１６で作成したアドレスにより鍵の取得先ページに直接アクセスし、取得先ページにおいて鍵の取得の要否を問い合わせて、取得するようにすることもできる。
【００３２】
また、鍵の取得先ページのアドレスは、放送事業者のウェブサイトに応じて、電子配列情報に含まれているＮＩＤ、ＴＩＤ、ＳＩＤおよびＥＩＤの四つのＩＤを用いて、例えば「HTTP://www.NID/TID/SID/EID」のように作成したり、所要の一つ以上のＩＤを用いて作成したりしてもよい。
【００３３】
さらに、本発明は、携帯電話端末に地上デジタルＴＶ放送のＴＶ受信機能を搭載した携帯通信端末に限らず、ＰＤＡや他の携帯通信端末に地上デジタルＴＶ放送のＴＶ受信機能を搭載したものにも適用できるとともに、携帯通信端末に限らず、地上デジタルＴＶ放送を受信する据え置き型の放送受信装置にも有効に適用することができる。また、本発明は、地上デジタルＴＶ放送に限らず、衛星デジタルＴＶ放送や、衛星あるいは地上デジタルラジオ放送の暗号化された放送番組を復号する場合にも有効に適用することができるとともに、受信する暗号化された放送番組も、ストリーム暗号方式で暗号化された放送番組に限らず、ブロック暗号方式で暗号化された放送番組を受信する場合でも本発明を有効に適用することができる。さらに、暗号化された放送番組を復号化することなく受信して記録媒体等に記憶し、後に復号用の鍵を取得して再生する場合にも、本発明を適用することができる。
【図面の簡単な説明】
【００３４】
【図１】本発明の一実施の形態に係る放送受信装置の要部の回路構成を示すブロック図である。
【図２】図１に示す放送受信装置による鍵の取得動作を説明するためのフローチャートである。
【図３】電子番組表の表示例を示す図である。
【図４】鍵取得案内用のポップアップ画面の表示例を示す図である。
【符号の説明】
【００３５】
１  制御部
２  アンテナ部
３  無線部
４  アンテナ部
５  チューナ部
６  復調部
７  分岐部
８  音声処理部
９  映像処理部
１０  データ処理部
１１  スピーカ
１２  表示制御部
１３  表示部
１４  記憶部
１５  操作キー部
１６  アドレス生成部
２１  鍵マーク
２５  ポップアップ画面
【図１】
0005173151.tif 000002
【図２】
0005173151.tif 000003
【図３】
0005173151.tif 000004
【図４】
0005173151.tif 000005